(57)【要約】【課題】  膨脹収縮媒体の変質により膨脹割合が所定値以上になった場合に復水を排出し蒸気を漏出することのないスチームトラップ機能を維持できる熱応動式スチームトラップを提供する。【解決手段】  本体１と蓋部材５とからなる弁ケーシングで入口２と弁室４と出口3を形成する。弁室４と出口３を連通する導出路８を開けた弁座部材９を弁室４と出口3の間に設ける。壁部材１４とダイヤフラム部材１５と両部材１４，１５の間に封入した膨脹収縮媒体１６とダイヤフラム部材１５の弁座部材９側に取り付けた弁部材１７とを具備し壁部材１４とダイヤフラム部材１５と弁部材１７を貫通する連通路１８を開けた温度制御機素１１を弁室４内に配置する。膨脹収縮媒体１６の膨張収縮温度よりも低温で変形して連通路１８を開閉する温度応動部材としてのバイメタル１９を設ける。【選択図】      図１
2010216538.tif 000002
【特許請求の範囲】
【請求項１】
弁ケーシングで入口と弁室と出口を形成し、弁室と出口を連通する導出路を開けた弁座部材を弁室と出口の間に設け、壁部材とダイヤフラム部材と両部材の間に封入した膨脹収縮媒体とダイヤフラム部材の弁座部材側に取り付けた弁部材とを具備し壁部材とダイヤフラム部材と弁部材を貫通する連通路を開けた温度制御機素を弁室内に配置し、膨脹収縮媒体の膨脹収縮によるダイヤフラム部材の変位により弁部材を駆動して弁座部材の導出路を開閉するものにおいて、膨脹収縮媒体の膨張収縮温度よりも低温で変形して連通路を開閉する温度応動部材を設けたことを特徴とする熱応動式スチームトラップ。
【発明の詳細な説明】
【技術分野】
【０００１】
本発明は、各種蒸気使用機器や蒸気配管で発生する復水を自動的に排出するスチームトラップに関し、特に、蒸気と復水で加熱冷却されその温度に応じて膨脹収縮する媒体を含む温度制御機素を用いて、設定温度以下の復水を系外へ排出する熱応動式スチームトラップに関する。
【背景技術】
【０００２】
従来の熱応動式スチームトラップは、例えば特許文献１に開示されている。これは、弁ケーシングで入口と弁室と出口を形成し、弁室と出口を連通する導出路を開けた弁座部材を弁室と出口の間に設け、壁部材とダイヤフラム部材と両部材の間に封入した膨脹収縮媒体とダイヤフラム部材の弁座部材側に取り付けた弁部材とを具備し壁部材とダイヤフラム部材と弁部材を貫通する連通路を開けた温度制御機素を弁室内に配置し、膨脹収縮媒体の膨脹収縮によるダイヤフラム部材の変位により弁部材を駆動して弁座部材の導出路を開閉するものである。
【先行技術文献】
【特許文献】
【０００３】
【特許文献１】特開平９−２６０９２号公報
【発明の概要】
【発明が解決しようとする課題】
【０００４】
上記従来の熱応動式スチームトラップは、弁室内の温度が上昇すると膨脹収縮媒体が膨脹しダイヤフラム部材を介して弁部材が弁座部材に着座して導出路を閉止することにより蒸気の漏出を防止し、弁室内の温度が低下すると膨脹収縮媒体が収縮し弁部材が弁座部材から離座して導出路を開口することにより復水を系外へ排出するものである。しかしながら、このような様式の熱応動式スチームトラップにあっては、膨脹収縮媒体の変質により膨脹割合が所定値以上になると導出路を開口できなくなり、復水を排出し蒸気を漏出することのないスチームトラップ機能を維持できなくなる問題点があった。
【０００５】
したがって本発明が解決しようとする課題は、膨脹収縮媒体の変質により膨脹割合が所定値以上になった場合に復水を排出し蒸気を漏出することのないスチームトラップ機能を維持できる熱応動式スチームトラップを提供することである。
【課題を解決するための手段】
【０００６】
上記の課題を解決するために、本発明の熱応動式スチームトラップは、弁ケーシングで入口と弁室と出口を形成し、弁室と出口を連通する導出路を開けた弁座部材を弁室と出口の間に設け、壁部材とダイヤフラム部材と両部材の間に封入した膨脹収縮媒体とダイヤフラム部材の弁座部材側に取り付けた弁部材とを具備し壁部材とダイヤフラム部材と弁部材を貫通する連通路を開けた温度制御機素を弁室内に配置し、膨脹収縮媒体の膨脹収縮によるダイヤフラム部材の変位により弁部材を駆動して弁座部材の導出路を開閉するものにおいて、膨脹収縮媒体の膨張収縮温度よりも低温で変形して連通路を開閉する温度応動部材を設けたことを特徴とするものである。
【発明の効果】
【０００７】
本発明によれば、膨脹収縮媒体の膨張収縮温度よりも低温で変形して連通路を開閉する温度応動部材を設けたものであるので、膨脹収縮媒体が変質して温度制御機素が導出路を開口できなくなり弁室の温度が膨脹収縮媒体の膨張収縮温度よりも低温になると、温度応動部材が変形して連通路を開閉して弁室と導出路を連通遮断することにより、復水を排出し蒸気を漏出することのないスチームトラップ機能を維持できるという効果を奏する。
【図面の簡単な説明】
【０００８】
【図１】本発明の実施の形態に係わる熱応動式スチームトラップの断面図である。
【発明を実施するための形態】
【０００９】
以下、本発明の実施の形態について、図１を参照して説明する。本体１には同一軸上に入口２と出口３が形成され、この入口２及び出口３と連通する弁室４が本体１にねじ結合された蓋部材５によって形成され、本体１と蓋部材５とにより弁ケーシングが構成される。出口３の弁室４側開口端に、弁室４と出口３とを連通する導出路８が形成された弁座部材９がねじ結合されている。弁座部材９と本体１の間に固定した円筒状の取付部材１０内に温度制御機素１１がスナップリング１２で取り付けられる。取付部材１０には底壁に内外を連通する連通孔１３が開けられている。
【００１０】
温度制御機素１１は、壁部材１４とダイヤフラム部材１５と両部材１４，１５の間に封入した膨脹収縮媒体１６とダイヤフラム部材１５の弁座部材９側に取り付けた弁部材１７とを具備し壁部材１４とダイヤフラム部材１５と弁部材１７を貫通する連通路１８が開けられたものである。連通路１８はダイヤフラム部材１５と弁部材１７を夫々の中央開口を並べて溶接し、また壁部材１４の中央開口の縁とダイヤフラム部材１５の中央開口の縁を溶接することにより形成される。膨脹収縮媒体１６は水、水より沸点の低い液体、或いはそれらの混合物で形成される。膨脹収縮媒体１６の膨脹収縮によるダイヤフラム部材１５の変位により弁部材１７が駆動されて弁座部材９の導出路８が開閉される。膨脹収縮媒体１６の膨張収縮温度よりも低温で変形して連通路１８を開閉する温度応動部材としてのバイメタル１９が壁部材１４にビス２０により取り付けられる。
【００１１】
上記の熱応動式スチームトラップの動作は次の通りである。通気初めは弁室４内が低温であり、温度制御機素１１は膨脹収縮媒体１６が収縮し、ダイヤフラム部材１５が上方に変位し、弁部材１７が弁座部材９から離座して導出路８を開口する。また、バイメタル１９はその右側部が上方に変位して連通路１８を開口する。これにより低温復水が導出路８から出口３へ排出される。弁室４内の温度が上昇すると、バイメタル１９はその右側部が下方に変位して連通路１８を閉止するが、温度制御機素１１は導出路８を開口した状態を維持する。これにより高温復水が導出路８から出口３へ排出される。弁室４内の温度が更に上昇すると、バイメタル１９は連通路１８を閉止した状態を維持し、温度制御機素１１は膨脹収縮媒体１６が膨脹し、ダイヤフラム部材１５が下方に変位し、弁部材１７が弁座部材９に着座して導出路８を閉止する。これにより蒸気の漏出を防止する。
【００１２】
弁室４内の温度が低下すると、バイメタル１９は連通路１８を閉止した状態を維持し、温度制御機素１１は膨脹収縮媒体１６が収縮し、ダイヤフラム部材１５が上方に変位し、弁部材１７が弁座部材９から離座して導出路８を開口する。これにより高温復水が導出路８から出口３へ排出される。膨脹収縮媒体１６が変質して温度制御機素１１が導出路８を開口できなくなり弁室４の温度が更に低下して膨脹収縮媒体１６の膨張収縮温度よりも低温になると、バイメタル１９はその右側部が上方に変位して連通路１８を開口する。これにより低温復水が連通路１８を通して導出路８から出口３へ排出される。弁室４内の温度が上昇すると、バイメタル１９はその右側部が下方に変位して連通路１８を閉止する。これにより蒸気の漏出を防止する。
【産業上の利用可能性】
【００１３】
本発明は、各種蒸気使用機器や蒸気配管で発生する復水を温度制御機素を用いて自動的に排出する熱応動式スチームトラップに利用することができる。
【符号の説明】
【００１４】
１ 本体
２ 入口
３ 出口
４ 弁室
５ 蓋部材
８ 導出路
９ 弁座部材
１１ 温度制御機素
１４ 壁部材
１５ ダイヤフラム部材
１６ 膨脹収縮媒体
１７ 弁部材
１８ 連通路
１９ バイメタル
【図１】
2010216538.tif 000003